(57)【要約】  スナップボタンは、キャップ及びソケットであって、その間に布片を有して互いに接続されるキャップ及びソケットによって構成される雌部を有している。キャップは、円環状のフランジであって、フランジが組み付け中に外側に曲げられ得るようにその中に中断部を有する円環状のフランジを備える基部から形成されている。ソケットは、中心孔と周辺縁とを有する円板と、ソケット内に配置された環状のインサートとによって構成されている。キャップは、フランジが環状のインサートの周りで曲がって、その間に布を捕らえた状態でキャップをソケットに固定するまでソケットをキャップに押し付けることにより、ソケットに接続される。スタッドを有する雄部は、スタッドがソケットを完全に貫通してかつキャップ内に延びるようにスタッドをソケットにスナップ留めすることにより、雌部に接続される。
2021503971.tif 000002
【特許請求の範囲】
【請求項１】
上面と、底面と、前記底面から延びる円環状のフランジとを備える基部によって構成されるキャップであって、前記フランジは、その内側に複数の中断部を有するキャップと、
ソケットであって、上面、底面、中心孔を有する円板と、前記ソケット内に配置された環状のインサートとによって構成されるソケットと有し、
前記キャップは、前記フランジが前記環状のインサートの周りで曲がって前記キャップを前記ソケットに固定するまで前記ソケットを前記キャップに押し付けることにより、前記ソケットに接続される雌部と、
スタッドを有し、前記スタッドが前記ソケットを貫通してかつ前記キャップ内に延びるように、前記スタッドを前記ソケットにスナップ留めすることにより、前記雌部に接続される雄部と、を有するスナップボタン。
【請求項２】
前記雄部は、円板であって、前記円板から延びるポストを有する円板によって構成されるポスト要素をさらに有し、
前記スタッドは、前記ポストの形状に対応する凹みを有する円板によって構成され、前記スタッドは、前記ポストを前記凹みに挿入することによって前記ポストに接続される請求項１に記載のスナップボタン。
【請求項３】
前記フランジは、前記キャップの前記基部とは個別の部品によって構成され、かつ前記キャップに固定される請求項１に記載のスナップボタン。
【請求項４】
前記フランジの内側に周方向に配置された、組をなす複数の歯をさらに有し、前記歯は、前記スタッドが前記雌部に挿入されるときに前記スタッドを把持するように構成される請求項１に記載のスナップボタン。
【請求項５】
前記歯は、プラスチック製であり、かつ前記基部及びフランジは、金属製である請求項４に記載のスナップボタン。
【請求項６】
前記歯は、前記基部と前記フランジとの間に配置されるプラスチックインサートに配置される請求項４に記載のスナップボタン。
【請求項７】
前記ソケット内の前記インサートは、Ｓ字形の断面を有する請求項１に記載のスナップボタン。
【請求項８】
前記フランジは、前記キャップの前記基部と一体に形成されている請求項１に記載のスナップボタン。
【請求項９】
前記基部の下面において、前記フランジの外側の周りに周方向に配置された複数のスパイクをさらに有し、前記スパイクは、前記キャップ及びソケットが接続されるとき、前記キャップと前記ソケットとの間に配置される布の層を把持するように構成される請求項１に記載のスナップボタン。
【請求項１０】
２〜５個の歯がある請求項４に記載のスナップボタン。
【請求項１１】
前記ソケットは、前記スタッドを保持するためのばねを含む、請求項８に記載のスナップボタン。
【請求項１２】
前記ソケット内に配置され、前記スタッドが前記ソケットの前記中心孔に挿入されるときに前記スタッドを把持するためのリングバネをさらに有する請求項８に記載のスナップボタン。
【発明の詳細な説明】
【技術分野】
【０００１】
本発明は、２つの物品を互いに接続する際に使用するスナップボタンに関する。特に、本発明は、非常に薄型であり、かつ組み付けが簡単なスナップボタンに関する。
【背景技術】
【０００２】
スナップボタンは、概して、４つの個別の部品、即ち、スナップの雌部分を形成するキャップ及びソケットと、スナップの雄部分を形成するスタッド及びスタッド及びポストとによって構成されている。キャップとソケットとの間に、かつまたスタッドとポストとの間に布が配置されるため、スタッドがソケットにスナップ留めされると２つの布片が互いに接続される。一般的なスナップボタンの問題の１つは、これらが嵩張る場合があり、４つの個別の部品を互いに接続するとスナップの重量及び寸法が増す可能性があるため、スナップボタンが扱い難く魅力のないものになることである。加えて、スナップの大半は２層の布間に位置する傾向にあることから、水、空気及び埃が入るおそれがあるため、布の接続が理想的なものでない。
【０００３】
加えて、一般的な金属スナップは、係合及び離脱の音が大きいことがあるため、狩猟用具などの一部の状況で使用するのに望ましくない。
【発明の概要】
【発明が解決しようとする課題】
【０００４】
したがって、本発明の目的は、非常に薄型であり、かつ物品の接続を妨げないスナップボタンを提供することである。本発明の別の目的は、静かに係合及び離脱可能なスナップボタンを提供することである。
【課題を解決するための手段】
【０００５】
これらの及び他の目的は、雌部と雄部とを有するスナップボタンによって達成される。雌部は、キャップ及びソケットであって、その間に布片を有して互いに接続されるキャップ及びソケットから形成されている。キャップは、上面と、底面と、底面から延びる円環状のフランジとを有する基部から形成されている。フランジは、フランジが組み付け中に外側に曲げられ得るようにその中に複数の中断部を有している。ソケットは、上面と、底面と、中心孔と、上面から延びる周辺縁とを有する円板と、ソケット内に配置された環状のインサートとによって構成されている。キャップは、フランジが環状のインサートの周りで曲がって、その間に布を捕らえた状態でキャップをソケットに固定するまでソケットをキャップに押し付けることにより、ソケットに接続される。インサートは、好ましくは断面がＳ字形であり、及びフランジは、Ｓ字の曲線の周りで曲がってキャップとソケットとを接続する。フランジは、好ましくは、一連の均等に配置された中断部を有してプロングを作成する。プロングは、曲線の輪郭を有していてもよい。好ましくは、プロングは、キャップから９０〜１００度の角度で延び、組み付け中のダイマシンによるプロングの曲げを容易にする。基部及びフランジは、金属から形成されることが好ましい。
【０００６】
スタッドを有する雄部は、スタッドがソケットを完全に貫通してかつキャップ内に延びるように、スタッドをソケットにスナップ留めすることにより、雌部に接続される。この配置は、いくつかの利点を有している。第１に、スタッドは、本質的にキャップとソケットとの間の布を貫通してキャップまで延びるため、雄部に接続された布と雌部に接続された布とを互いに非常に接近させて配置することができ、スナップが取り付けられている物品又は衣服の機能が向上する。加えて、ソケット上のキャップがスタッドを保護し、衝撃時でも部品の不意の分離を防ぐ。
【０００７】
雄部は、雌部に挿入するためのスタッドを有する任意の標準的な雄スナップ部であり得る。特に、雄部は、２つの構成要素、即ち、円板から延びる突起を有する円板によって構成されるポストと、ポストの形状に対応する凹みを有する円板によって構成されるスタッドとから構成され得る。スタッドは、ポストを凹みに挿入することによってポストに接続される。スタッドの一部分は、ポストがスタッド内に圧入によって維持されるようにポストよりも狭い。ポスト及びスタッドは、ポストをスタッドの凹みに挿入する前に布の穴に配置することにより、布の層の周りで接続される。
【０００８】
好適な実施形態では、キャップのフランジの内側に周方向に配置された、組をなす複数の歯がある。歯は、スタッドが雌部に挿入されるときにスタッドを把持するように構成される。歯は、各歯の先端近傍で内側に延びてスタッドの把持を補助する突起を有していてもよい。歯は、キャップ内で金属フランジの下に配置されるプラスチックインサートによって構成されている。プラスチックの使用により、スナップボタンの留め及び取り外しが非常に静かになり、使用中に発生する振動を低減する。プラスチックは、また、圧力下で曲がりかつスタッドの挿入を可能にする。加えて、歯間の空隙により、スナップが係合及び離脱する際に空気が抜けることによるパチンという音がしない。２〜５個の歯があることが好ましい。キャップのフランジ及び基部は、それらの間における歯のインサートの組み付けを可能にするために個別の金属部品で構成される。
【０００９】
別の実施形態では、フランジは、キャップの基部と一体に形成されている。キャップは、上述と同様にソケットに接続される。この実施形態では、歯を有するインサートはなく、及びスタッドは、ソケットに直接挿入され、かつソケット内の一般的なリングバネによってソケットに保持される。この実施形態では、基部の下面において、フランジの外側の周りに周方向に配置された複数のスパイクがある。スパイクは、キャップ及びソケットが接続されるとき、キャップとソケットとの間に配置される布の層を把持するように構成される。布は、スパイクを収容するための穴が予め開けられてもよい。
【００１０】
両実施形態では、スタッドは、ソケットを完全に貫通してキャップまで延び、非常に薄型のスナップボタンを構成する。
【００１１】
本発明の他の目的及び特徴は、添付の図面と共に考慮される以下の詳細な説明から明らかになるであろう。ただし、図面は、本発明の限定を定義するものではなく、単なる説明として意図されていることを理解すべきである。
【００１２】
図面において、いくつかの図に亘る類似の参照符号は類似の要素を示す。
【図面の簡単な説明】
【００１３】
【図１】本発明によるスナップボタンのキャップの斜視図を示す。
【図２】キャップの上面図を示す。
【図３】図２の切断線III−IIIに沿って取った断面図を示す。
【図４】本発明によるスナップボタンのソケットの斜視図を示す。
【図５】ソケットの上面図を示す。
【図６】図５の切断線VI−VIに沿って取った断面図を示す。
【図７】本発明によるスナップボタンのスタッドの斜視図を示す。
【図８】スタッドの上面図を示す。
【図９】図８の切断線IX−IXに沿って取った断面図を示す。
【図１０】本発明によるスナップボタンのポストの斜視図を示す。
【図１１】ポストの上面図を示す。
【図１２】図１１の切断線XII−XIIに沿って取った断面図を示す。
【図１３】２つの布片に組み付けられたスナップボタンの側面図を示す。
【図１４】図１３の切断線XIV−XIVに沿って取った断面図を示す。
【図１５】本発明によるスナップボタンのキャップの別の実施形態を示す。
【図１６】図１５のキャップの側面図を示す。
【図１７】図１５のキャップと共に使用するためのソケットの上面図を示す。
【図１８】図１７のソケットの底面図を示す。
【図１９】図１５〜図１８のキャップ及びソケットを使用したスナップボタンの断面図を示す。
【発明を実施するための形態】
【００１４】
ここで、図面の詳細を参照すると、特に図１〜図３は、本発明によるスナップボタンのキャップ１０を示す。キャップ１０は、縁１２を有する基部１１と、基部１１から上に延びる環状のフランジ１３とを有している。環状のフランジ１３は、その円周上に複数の中断部１４を有し、複数の均等に配されたプロング１５を形成する。基部１１の内部及びフランジ１３の下に配置されているのは、フランジ１３の内部において、周囲を取り巻くように配置された複数の歯１７を有するインサート１６である。インサート１６は、プラスチック製であることが好ましく、また、歯１７は、歯間にスペースを有して配置されることが好ましい。
【００１５】
図４〜図６は、本発明によるソケット２０を示す。ソケット２０は、環状の形状であり、中心孔２１と、上縁２２と、下縁２３とを有している。上縁２２は、下縁２３よりも円周が小さい。環状のインサート２４が上縁と下縁との間に配置される。環状のインサート２４は、Ｓ字形の断面を有している。
【００１６】
図７〜図９は、本発明によるスタッド要素３０を示す。スタッド要素３０は、円板形状の基部３１を有し、円板形状の基部３１からスタッド３２が上方に延びている。スタッド３２は、筒状の側壁３３と上面３４とを有し、側壁３３内に窪み３６がある。基部３１は、その周りに延びるリッジ３５を有していてもよい。
【００１７】
図１０〜図１２は、本発明によるポスト４０を示す。ポスト４０は、円板形状の基部４１と、円板形状の基部４１から上方に延びるポスト要素４２とを含む。ポスト要素４２は、その側部に１つ以上の窪み４３と、その上面に窪み４４とを有していてもよい。
【００１８】
図１３〜図１４に示すように、キャップ１０、ソケット２０、スタッド要素３０、及びポスト要素４０は、全て２層の布に組み付けられて、２層の布を接続するスナップボタンを構成することができる。ポスト４０のポスト要素４２は、布５０の穴に挿入される。布５０の縁端部がポスト要素４２の基部の周りで曲げられて、圧入によってポスト４２がスタッド３０に接続することを可能にする。
【００１９】
キャップ１０は、布６０の層に穴を形成し、この穴を通してフランジ１３を挿入し、かつフランジ１３のプロングがインサート２４の周りで曲がってキャップ１０をソケット２０に固定するまで、フランジ１３をソケット２０のインサート２４の周りで押し付けることにより、ソケット２０に接続される。この押し付けは、ダイプレスによって行うことができる。押し付け中、均等に配されたプロングによってダイマシンによる力の分散を補助する。この押し付け後、歯１７は、ソケット２０を貫通して上縁２２を僅かに越えるところまで延びている。
【００２０】
キャップ１０とソケット２０とによって構成されるスナップボタンの雌部は、歯１７の内側に形成されたスペース１９にソケット３２を挿入することにより、スナップボタンの雄部に接続されてもよい。歯１７は、内側に延びる突起１８を有している。突起１８は、スタッド３２を押し、スタッド３２をキャップ１０に接続した状態に維持する。組み付け後、スタッド３２は、ソケット２０を完全に貫通してキャップ１０のインサート１６の内部表面まで延び、その結果、布５０のみならず、布６０も貫通して延びている。このように、スナップボタンの雄部品と雌部品との間の接続は、多くのスタップボタンのように２層の布間ではなく、両方の層の外側で起こる。この特徴により、布の層は、互いにより接近して接続され、空気及び水に対するより良好な閉鎖がもたらされる。
【００２１】
本発明によるスナップボタンの雌部の第２の実施形態が図１５〜図１９に示される。図１５及び図１６は、この第２の実施形態によるキャップ２０を示す。ここで、キャップ２０は、中断部７３を有してプロング７４を形成するフランジ７２と一体に形成される基部７１から形成されている。複数のスパイク７５は、基部７１上において、フランジ７２の外側の周囲に配置され、かつ基部７１に実質的に垂直に延びている。
【００２２】
図１７及び図１８は、キャップ７０と共に使用するためのソケット８０を示す。ソケット８０は、中心孔８２を有する基部８１から形成され、孔８２にリングバネ８６が配置される。基部８１内に環状のインサート８３が配置される。インサート８３は、Ｓ字形の断面を有している。使用時に、キャップ７０は、図１９に示すように、布６０の穴を通してプロング７４を挿入し、かつプロング７４がインサート８３の周りで曲がるまでプロング７４をソケット８０に押し込むことにより、ソケット８０に組み付けられる。同時に、スパイク７５は、布６０をキャップ７０に更に固定するために布６０を通して押される。布６０は、組み付けを容易にするために、スパイク７５のための穴が予め開けられてもよい。スパイク７５は、使用時に、布が引かれたり引っ張られたりした場合であっても布を適所に維持し、布の中心穴の破損を防ぐ。
【００２３】
キャップ７０及びソケット８０は、図７〜図１４に示したものと同じスタッド３０及びポスト４０と共に使用することができる。組立品の全体を図１９に示す。スタッド３２を把持するための歯がないため、リングバネ８６がソケット８０内に取り付けられている。リングバネは、スタッド３０を挿入すると拡張し、スタッド３２に対するばね８６の圧力によってスタッド３２をソケット８０に接続された状態に維持する。前述の実施形態と同様に、スタッド３２がソケット８０を完全に貫通してキャップ７０の基部７１に到達するため、雄部品と雌部品との接続は、２層の布５０及び６０間では全く生じず、層６０の外側で生じる。
【００２４】
以上、本発明のいくつかの実施形態のみを示しかつ記載してきたが、本発明の趣旨及び範囲から逸脱することなく、実施形態に対する多くの変更態様及び修正態様がなされてもよいことは明らかである。
【図１】
2021503971.tif 000003
【図２】
2021503971.tif 000004
【図３】
2021503971.tif 000005
【図４】
2021503971.tif 000006
【図５】
2021503971.tif 000007
【図６】
2021503971.tif 000008
【図７】
2021503971.tif 000009
【図８】
2021503971.tif 000010
【図９】
2021503971.tif 000011
【図１０】
2021503971.tif 000012
【図１１】
2021503971.tif 000013
【図１２】
2021503971.tif 000014
【図１３】
2021503971.tif 000015
【図１４】
2021503971.tif 000016
【図１５】
2021503971.tif 000017
【図１６】
2021503971.tif 000018
【図１７】
2021503971.tif 000019
【図１８】
2021503971.tif 000020
【図１９】
2021503971.tif 000021
【手続補正書】
【提出日】令和2年6月1日(2020.6.1)
【手続補正１】
【補正対象書類名】明細書
【補正対象項目名】０００２
【補正方法】変更
【補正の内容】
【０００２】
スナップボタンは、概して、４つの個別の部品、即ち、スナップの雌部分を形成するキャップ及びソケットと、スナップの雄部分を形成するスタッド及びポストとによって構成されている。キャップとソケットとの間に、かつまたスタッドとポストとの間に布が配置されるため、スタッドがソケットにスナップ留めされると２つの布片が互いに接続される。一般的なスナップボタンの問題の１つは、これらが嵩張る場合があり、４つの個別の部品を互いに接続するとスナップの重量及び寸法が増す可能性があるため、スナップボタンが扱い難く魅力のないものになることである。加えて、スナップの大半は２層の布間に位置する傾向にあることから、水、空気及び埃が入るおそれがあるため、布の接続が理想的なものでない。
【手続補正２】
【補正対象書類名】明細書
【補正対象項目名】００１６
【補正方法】変更
【補正の内容】
【００１６】
図７〜図９は、本発明によるスタッド３０を示す。スタッド３０は、円板形状の基部３１を有し、円板形状の基部３１からスタッド要素３２が上方に延びている。スタッド要素３２は、筒状の側壁３３と上面３４とを有し、側壁３３内に窪み３６がある。基部３１は、その周りに延びるリッジ３５を有していてもよい。
【手続補正３】
【補正対象書類名】明細書
【補正対象項目名】００１８
【補正方法】変更
【補正の内容】
【００１８】
図１３〜図１４に示すように、キャップ１０、ソケット２０、スタッド３０、また、ポスト４０は、全て２層の布に組み付けられて、２層の布を接続するスナップボタンを構成することができる。ポスト４０のポスト要素４２は、布５０の穴に挿入される。布５０の縁端部がポスト要素４２の基部の周りで曲げられて、圧入によってポスト４０がスタッド３０に接続することを可能にする。
【手続補正４】
【補正対象書類名】明細書
【補正対象項目名】００２０
【補正方法】変更
【補正の内容】
【００２０】
キャップ１０とソケット２０とによって構成されるスナップボタンの雌部は、歯１７の内側に形成されたスペース１９にスタッド要素３２を挿入することにより、スナップボタンの雄部に接続され得る。歯１７は、内側に延びる突起１８を有している。突起１８は、スタッド要素３２を押し、スタッド要素３２をキャップ１０に接続した状態に維持する。組み付け後、スタッド要素３２は、ソケット２０を完全に貫通してキャップ１０のインサート１６の内部表面まで延び、その結果、布５０のみならず、布６０も貫通して延びている。このように、スナップボタンの雄部品と雌部品との間の接続は、多くのスタップボタンのように２層の布間ではなく、両方の層の外側で起こる。この特徴により、布の層は、互いにより接近して接続され、空気及び水に対するより良好な閉鎖がもたらされる。
【手続補正５】
【補正対象書類名】明細書
【補正対象項目名】００２１
【補正方法】変更
【補正の内容】
【００２１】
本発明によるスナップボタンの雌部の第２の実施形態が図１５〜図１９に示される。図１５及び図１６は、この第２の実施形態によるキャップ７０を示す。ここで、キャップ７０は、中断部７３を有してプロング７４を形成するフランジ７２と一体に形成される基部７１から形成されている。複数のスパイク７５は、基部７１上において、フランジ７２の外側の周囲に配置され、かつ基部７１に実質的に垂直に延びている。
【手続補正６】
【補正対象書類名】明細書
【補正対象項目名】００２２
【補正方法】変更
【補正の内容】
【００２２】
図１７及び図１８は、キャップ７０と共に使用するためのソケット８０を示す。ソケット８０は、中心孔８２を有する基部８１から形成され、中心孔８２にリングバネ８６が配置される。基部８１内に環状のインサート８３が配置される。インサート８３は、Ｓ字形の断面を有している。使用時に、キャップ７０は、図１９に示すように、布６０の穴を通してプロング７４を挿入し、かつプロング７４がインサート８３の周りで曲がるまでプロング７４をソケット８０に押し込むことにより、ソケット８０に組み付けられる。同時に、スパイク７５は、布６０をキャップ７０に更に固定するために布６０を通して押される。布６０は、組み付けを容易にするために、スパイク７５のための穴が予め開けられてもよい。スパイク７５は、使用時に、布が引かれたり引っ張られたりした場合であっても布を適所に維持し、布の中心穴の破損を防ぐ。
【手続補正７】
【補正対象書類名】明細書
【補正対象項目名】００２３
【補正方法】変更
【補正の内容】
【００２３】
キャップ７０及びソケット８０は、図７〜図１４に示したものと同じスタッド３０及びポスト４０と共に使用することができる。組立品の全体を図１９に示す。スタッド要素３２を把持するための歯がないため、リングバネ８６がソケット８０内に取り付けられている。リングバネ８６は、スタッド要素３２を挿入すると拡張し、スタッド要素３２に対するリングバネ８６の圧力によってスタッド要素３２をソケット８０に接続された状態に維持する。前述の実施形態と同様に、スタッド要素３２がソケット８０を完全に貫通してキャップ７０の基部７１に到達するため、雄部品と雌部品との接続は、２層の布５０及び６０間では全く生じず、布６０の外側で生じる。
【手続補正８】
【補正対象書類名】特許請求の範囲
【補正対象項目名】請求項２
【補正方法】変更
【補正の内容】
【請求項２】
前記雄部は、円板と、前記円板から延びるポスト要素とによって構成されるポストをさらに有し、
前記スタッドは、前記ポスト要素の形状に対応する凹みを有する円板によって構成され、前記スタッドは、前記ポスト要素を前記凹みに挿入することによって前記ポストに接続される請求項１に記載のスナップボタン。
【国際調査報告】
2021503971.tif 000022
2021503971.tif 000023